(57)【要約】【課題】簡単な構成で赤外線リモコン信号の受光素子に入射される範囲を狭くすることがない構成で、インバータ蛍光灯よりの光の影響がないようにすることを目的とする。【解決手段】赤外線リモコン信号により制御されるようになされた被制御機器の赤外線リモコン信号受光装置においてこの被制御機器の受光窓１２と受光素子１との間に下側１４ｃがこの受光窓側よりこの受光素子側方向に向って傾斜する傾斜面を有する導光管１４を設け、上方よりの光をこの受光素子１に入射しないようにしたものである。【選択図】        図１
2004274407.tif 000002
【特許請求の範囲】
【請求項１】
赤外線リモコン信号により制御されるようになされた被制御機器の赤外線リモコン信号受光装置において、
前記被制御機器の受光窓と受光素子との間に下側が前記受光窓側より前記受光素子側方向に向って傾斜する傾斜面を有する導光管を設け、上方よりの光を前記受光素子に入射しないようにしたことを特徴とする赤外線リモコン信号受光装置。
【請求項２】
請求項１記載の赤外線リモコン信号受光装置において、
前記導光管の受光窓側端面及び上側断面を略半円形状とすると共に前記導光管の受光窓‐受光素子方向の縦断面を略三角形としたことを特徴とする赤外線リモコン信号受光装置。
【請求項３】
請求項１又は２記載の赤外線リモコン信号受光装置において、
前記導光管を赤外線が透過する樹脂で形成したことを特徴とする赤外線リモコン信号受光装置。
【発明の詳細な説明】
【０００１】
【発明の属する技術分野】
本発明はテレビジョン受像機等種々の機器を遠隔制御するのに使用される赤外線リモートコントロール装置のテレビジョン受像機等種々の機器に設けられる赤外線リモコン信号受光装置に関する。
【０００２】
【従来の技術】
従来、テレビジョン受像機等種々の機器を遠隔制御するのに赤外線リモートコントロール装置が使用されている。この赤外線リモートコントロール装置の赤外線リモートコマンダよりの赤外線リモコン信号を受光する赤外線リモコン信号受光装置としては、赤外線リモコン信号により制御されるようになされたテレビジョン受像機等の被制御機器の例えば前面に設けた受光窓とその内部に設けられた受光ダイオード等の受光素子１との間に入射した全ての光を受光素子１に集光するためのポリカーボネート、アクリル等の赤外線を透過する樹脂より成る図６Ａ、Ｂに示す如き円柱状又は角柱状の導光管２又は３が設けられている。
【０００３】
ところでインバータ蛍光灯が設置されている場所に近い位置において、この赤外線リモートコントロール装置を操作したときには、このテレビジョン受像機等の被制御機器の赤外線リモコン信号受光装置はこのインバータ蛍光灯の光の影響を受けて誤動作することがある。
【０００４】
この誤動作はインバータ蛍光灯の発光サイクルが略４０ＫＨｚであると共に赤外線リモコン信号の搬送波信号が略４０ＫＨｚで、このインバータ蛍光灯の光と赤外線リモコン信号の搬送波信号とが互いに干渉する信号であり、またこの上方よりのインバータ蛍光灯の光が図７に示す如く赤外線リモコン信号と共に受光素子１に入射され干渉するためである。
【０００５】
そこで従来、インバータ蛍光灯の光による誤動作をすることがないようにするため、受光窓に可視光カットフィルタと赤外線の波長より長い波長を有する光をカットする干渉膜フィルタとを重畳して構成されたフィルタを装着するようにしたものが提案されている（特許文献１）。
【０００６】
またこの特許文献１には干渉膜フィルタに代えて、受光窓の前方に筒状体を設けるようにしたものが提案されている。
【０００７】
【特許文献１】
特開平５−１２２７７４号公報
【０００８】
【発明が解決しようとする課題】
然しながら従来の可視光カットフィルタと赤外線の波長より長い波長を有する光をカットする干渉膜フィルタとを重畳して構成されたフィルタは製造が困難であり高価となる不都合がある。
【０００９】
また受光窓の前方に筒状体を設けたときは、赤外線リモコン信号の受光素子に入射される範囲が狭くなる不都合があった。
【００１０】
本発明は斯る点に鑑み比較的簡単な構成で、赤外線リモコン信号の受光素子に入射される範囲を狭くすることがない構成でインバータ蛍光灯よりの光の影響がないようにすることを目的とする。
【００１１】
【課題を解決するための手段】
本発明赤外線リモコン信号受光装置は赤外線リモコン信号により制御されるようになされた被制御機器の赤外線リモコン信号受光装置においてこの被制御機器の受光窓と受光素子との間に下側がこの受光窓側よりこの受光素子側方向に向って傾斜する傾斜面を有する導光管を設け、上方よりの光をこの受光素子に入射しないようにしたものである。
【００１２】
本発明によれば導光管の下側に受光窓側より受光素子側方向に傾斜する傾斜面を設けたので、上方よりのインバータ蛍光灯の光を受光素子に入射することがない。
【００１３】
また導光管の下側に傾斜面を設けた構成なので構成が比較的簡単であり、また上方よりの光を受光素子に導かないようにしただけなので、赤外線リモコン信号の受光素子への入射範囲を狭くすることはない。
【００１４】
【発明の実施の形態】
以下、図１〜図５を参照して本発明赤外線リモコン信号受光装置の実施の形態の例につき説明する。本例はテレビジョン受像機に本例による赤外線リモコン信号受光装置を設けたものである。
【００１５】
図２はテレビジョン受像機を全体として示し、１０はキャビネット、１１はカラー陰極線管である。このテレビジョン受像機は赤外線リモートコントロール装置により遠隔制御される如くなされたもので、キャビネット１０の前面のカラー陰極線管１１の下側の所定位置に赤外線リモコン信号を受光する受光窓１２を設ける。この受光窓１２は径が例えば略３ｍｍの半円形とする。
【００１６】
本例においては図１に示す如くこのキャビネット１０の前面のカラー陰極線管１１の下側の所定位置の受光窓１２とこのキャビネット１０の内部の配線基板１３上に設けた赤外線リモコン信号を受光する発光ダイオード等の受光素子１との間に光を受光素子１に集光する導光管１４を設ける。
この導光管１４はポリカーボネート、アクリル等の赤外線を透過する樹脂より成り、図４に示す如く、この導光管１４の受光窓側端面１４ａおよび上側１４ｂ断面を受光素子１と略同じ大きさの径が例えば略３ｍｍ略半円形状とすると共にこの導光管１４の下側１４ｃがこの受光窓１２側よりこの受光素子１側方向に向って下がる傾斜の傾斜平面とする。この導光管１４の受光窓側端面１４ａと受光素子側端面との間の長さを例えば１５ｍｍとする。
【００１７】
またこの導光管１４の両側は互いに例えば３ｍｍ間隔の平行な平面とすると共にこの導光管１４の受光素子側端面は平面とする。この受光素子側端面の垂直方向の長さを例えば略１０ｍｍとする。
【００１８】
またこの導光管１４の受光窓１２、受光素子１方向の縦断面を図１及び図４に示す如く略直角三角形となる如く形成する。
【００１９】
図４において１５はこの導光管１４と一体形成した取付部であり、この導光管１４を取付けるときは、図３に示す如くキャビネット１０の内側からこの導光管１４の受光窓側端面１４ａをこの受光窓１２に挿入し、この取付部１５をキャビネット１０の内側に設けたボスを使用して溶着固定する如くする。
【００２０】
この場合この導光管１４の受光素子側端面と受光素子１との間隔を略１〜２ｍｍとする。
【００２１】
本例は上述の如く導光管１４の下側１４ｃを受光窓側よりこの受光素子側方向に向って下がる傾斜の傾斜平面としたので、この受光窓１２を通して入射される上方からの光ａ１、光ａ２は図５Ａに示す如くそのまま通過する等して受光素子１に入射することがなく、インバータ蛍光灯よりの光による赤外線リモコン信号への干渉による誤動作を生じない。
【００２２】
また正面及び下側よりこの受光窓１２を通して入射される光ｂ１及び光ｂ２は図５Ａに示す如く従来同様に受光素子１に入射される。
【００２３】
またこの受光窓１２に正面及び左右斜め横から入射される光ｃ，ｄ，ｅは図５Ｂに示す如く従来同様に受光素子１に入射される。
【００２４】
本例は上述の如く導光管１４の下側１４ｃに受光窓側より受光素子側方向に向って下がる傾斜の傾斜平面を設けたので、上方よりのインバータ蛍光灯の光を受光素子１に入射することがなく、インバータ蛍光灯よりの光による赤外線リモコン信号への干渉による誤動作を生じない。
【００２５】
また導光管１４の下側に傾斜平面を設けた構成なので構成が比較的簡単であり、また上方よりの光を受光素子１に導かないようにしただけなので、赤外線リモコン信号の受光素子１への入射範囲を狭くすることはない。
【００２６】
尚上述例では導光管１４の下側を傾斜平面とする如く述べたが、この代わりに傾斜曲面であっても良いことは容易に理解できよう。
【００２７】
また上述例は本発明をテレビジョン受像機に適用した例につき述べたが、本発明を赤外線リモコン信号により制御されるようになされたその他の被制御機器に適用できることは勿論である。
【００２８】
また本発明は上述例に限ることなく本発明の要旨を逸脱することなくその他種々の構成が採り得ることは勿論である。
【００２９】
【発明の効果】
本発明によれば導光管の下側に受光窓側より受光素子側方向に傾斜する傾斜面を設けたので、上方よりのインバータ蛍光灯の光を受光素子に入射することがなくインバータ蛍光灯よりの光による赤外線リモコン信号への干渉による誤動作を生じない。
【００３０】
また本発明によれば導光管の下側に傾斜面を設けた構成なので構成が比較的簡単であり、また上方よりの光を受光素子に導かないようにしただけなので、赤外線リモコン信号の受光素子への入射範囲を狭くすることはない。
【図面の簡単な説明】
【図１】本発明赤外線リモコン信号受光装置の実施の形態の例を示す図２のＡ−Ａ線一部切欠断面図である。
【図２】本発明を適用したテレビジョン受像機の例を示す斜視図である。
【図３】図２のＢ−Ｂ線一部切欠断面図である。
【図４】本発明の要部の斜視図である。
【図５】本発明の説明に供する線図である。
【図６】従来の導光管の例を示す斜視図である。
【図７】従来の導光管の例の説明に供する線図である。
【符号の説明】
１・・・受光素子、１０・・・キャビネット、１２・・・受光窓、１４・・・導光管、１４ａ・・・受光窓側端面、１４ｂ・・・上側、１４ｃ・・・下側
【図１】
2004274407.tif 000003
【図２】
2004274407.tif 000004
【図３】
2004274407.tif 000005
【図４】
2004274407.tif 000006
【図５】
2004274407.tif 000007
【図６】
2004274407.tif 000008
【図７】
2004274407.tif 000009